(57)【要約】      （修正有）【課題】一対のロック部材でカバー部を基部に対して確実にロック状態を維持可能な画像形成装置を提供する。【解決手段】基部２と、基部２に対して回転可能なカバー部３と、閉鎖位置においてカバー部３を基部２に対してロックするロック機構とを備え、第１ロック部材１１の第１ロック爪１１ａの深さを第２ロック部材１２の第２ロック爪１２ａの深さよりも浅く設定し、カバー部３をロックした時に、第１ロックピン２１が第１ロック爪１１ａの最深部１１ｅに当接するように構成した。【選択図】図６
2008032813.tif 000002
【特許請求の範囲】
【請求項１】
基部と、この基部に対して回転軸周りに閉鎖位置と開放位置の間を回転可能なカバー部と、閉鎖位置においてカバー部を基部に対してロックするロック機構と、を備えた画像形成装置であって、
前記ロック機構は、
基部とカバー部のいずれか一方の側に配置される第１ロックピン及び第２ロックピンと、
基部とカバー部のいずれか他方の側に配置され、第１ロックピンと第２ロックピンに夫々係合可能な第１ロック部材及び第２ロック部材と、
第１ロック部材と第２ロック部材を連結させると共に、これらの回転中心軸として機能する連結軸と、
第１ロック部材の側に設けられ、ロック状態を解除するためのロック解除操作部と、
第１ロック部材を第１ロックピンに係合させる方向に付勢する付勢部材と、を備えており、
第１ロック部材の第１ロック爪の深さを第２ロック部材の第２ロック爪の深さよりも浅く設定し、カバー部をロックした時に、第１ロックピンが第１ロック爪の最深部に当接するように構成したことを特徴とする画像形成装置。
【請求項２】
第１ロック部材とロック解除操作部が一体成型された部品として形成される請求項１に記載の画像形成装置。
【発明の詳細な説明】
【技術分野】
【０００１】
本発明は、基部と、この基部に対して回転軸周りに閉鎖位置と開放位置の間を回転可能なカバー部と、閉鎖位置においてカバー部を基部に対してロックするロック機構と、を備えた画像形成装置に関するものである。
【背景技術】
【０００２】
かかる画像形成装置（ファクシミリ装置、デジタル複合機など）は、構造的に、基部とカバー部に分けることができる。画像形成装置の基部には、記録紙の収容部と搬送機構、トナーカートリッジなどが設けられており、記録紙のジャム処理やトナーカートリッジの交換作業等のメンテナンスを適宜行う必要がある。そのために、カバー部を基部に対して回転軸周りに回転可能に支持している。通常は、カバー部は基部に対してロック機構によりロックされた状態であり、メンテナンス作業を行う場合にはロック機構によるロックを解除する必要がある。画像形成装置の分野において、開閉されるカバー部のロック機構として、下記特許文献１，２に開示される機構が知られている。
【０００３】
特許文献１には、左右一対のロックピンと、これらロックピンに係合する左右一対のロックレバーを有する機構が開示されている。一方のロックレバーには、解除レバーとロック方向にロックレバーを付勢するバネが設けられている。左右のロックレバーは連結軸により連結されている。解除レバーを操作することで、一方の側のロックレバーとロックピンの係合が解除される。また、解除レバーの動きは連結軸を介して他方の側のロックレバーにも伝達されるため、他方の側のロックレバーとロックピンの係合も解除される。この時、連結軸の捩れ変形に伴い、他方の側のロックレバーの移動が遅れるため、左右のロックの解除タイミングが異なることがあった。そこで、解除レバー側のロックレバーの爪部の形状を他方の側のロックレバーの爪部よりも開放しにくい形状としている。具体的には、解除レバーの側のロックレバーの爪部の長さを他方よりも長くしている。
【０００４】
特許文献２には、画像形成装置の側面の開口部を開閉可能にする開閉扉のロック機構が開示されている。このロック機構は、装置前側と後側に可動係止爪部材（ロックレバー）を有し、前後の係止爪部材の形状を異ならせることで、前後の係止爪部材が同時にロックされるように構成している。すなわち、開閉扉をロックする時、後側の可動係止爪部材の案内面が基部後側の係止部材に先に摺接し、その後、前側の可動係止爪部材の案内面が基部前側の係止部材に摺接するように構成している。なお、解除レバーは、前後一対の可動係止爪部材が配置される前後方向のちょうど中央部に位置している。
【０００５】
【特許文献１】実開平４−７２１７８号公報
【特許文献２】特開平１０−１４９０７７号公報
【発明の開示】
【発明が解決しようとする課題】
【０００６】
本発明に係るロック機構は、特許文献１に開示されるタイプのものであり、その課題について説明する。一対のロックピンとロック部材の組み合わせによりロック機構を構成する場合には、これらの寸法ばらつきや組立誤差などにより、各ロック部材のロック状態が必ずしも同じにならない。例えば、一対のロック部材は連結軸により連結するために、ロック解除を行う時にこの連結軸の捩れ変形によりロック状態が異なってくる。また、一対のロックピンは、夫々が別部品であって別の場所に結合されるために、寸法誤差などにより取り付け場所が異なり、ロック状態のばらつき原因となる。
【０００７】
さらに、ロック部材をロック状態に付勢するための付勢部材は、解除操作部の側のロック部材に設けられており、こちら側のロックの掛かりが悪くなると、僅かの衝撃や振動により、不用意にカバー部が開放してしまう問題がある。すなわち、解除操作部側のロック部材のロック状態にばらつきが生じると、場合によっては、上記のような問題が発生する。前述の特許文献１におけるロック機構は、かかる点を考慮しておらず、解除側においてロック状態にばらつきが生じることがあり、改善の余地がある。
【０００８】
本発明は上記実情に鑑みてなされたものであり、その課題は、一対のロック部材によりカバー部を基部に対してロックするに際して、解除操作部側のロック部材のロック状態にばらつきがなく確実にロック状態を維持可能な画像形成装置を提供することである。
【課題を解決するための手段】
【０００９】
上記課題を解決するため本発明に係る画像形成装置は、
基部と、この基部に対して回転軸周りに閉鎖位置と開放位置の間を回転可能なカバー部と、閉鎖位置においてカバー部を基部に対してロックするロック機構と、を備えた画像形成装置であって、
前記ロック機構は、
基部とカバー部のいずれか一方の側に配置される第１ロックピン及び第２ロックピンと、
基部とカバー部のいずれか他方の側に配置され、第１ロックピンと第２ロックピンに夫々係合可能な第１ロック部材及び第２ロック部材と、
第１ロック部材と第２ロック部材を連結させると共に、これらの回転中心軸として機能する連結軸と、
第１ロック部材の側に設けられ、ロック状態を解除するためのロック解除操作部と、
第１ロック部材を第１ロックピンに係合させる方向に付勢する付勢部材と、を備えており、
第１ロック部材の第１ロック爪の深さを第２ロック部材の第２ロック爪の深さよりも浅く設定し、カバー部をロックした時に、第１ロックピンが第１ロック爪の最深部に当接するように構成したことを特徴とするものである。
【００１０】
この構成による画像形成装置の作用・効果を以下説明する。カバー部の閉鎖位置において、カバー部を基部に対してロックするロック機構は、次の特徴を有している。カバー部を基部にロックするために、第１ロック部材と第１ロックピンが係合され、第２ロック部材と第２ロックピンが係合される。第１ロック部材と第２ロック部材は、連結軸により連結されており、この連結軸周りに一体的にロック部材が回転する。ロック解除操作部と付勢部材は、共に、第１ロック部材の側に設けられる。ここで、第１ロック部材と第２ロック部材は、形状的に異ならせており、第１ロック部材の第１ロック爪の深さは、第２ロック部材の第２ロック爪よりも浅くなるように設定されている。この構成により、第１ロックピンは必ず第１ロック爪の最深部に当接するように作用する。従って、第１ロック部材の側は、常に、第１ロックピンが同じ位置（最深部）に来るため、常に同じロック状態とすることができる。第２ロック部材の側は第２ロック爪の爪深さを深くなるように設定しているため、第２ロックピンと第２ロック爪の最深部とは隙間が形成されるような寸法関係となる。その結果、解除操作部側のロック部材のロック状態にばらつきがなく確実にロック状態を維持することができる。
【００１１】
本発明において、第１ロック部材とロック解除操作部が一体成型された部品として形成されることが好ましい。
【００１２】
この構成によると、部品点数の削減に寄与できると共に、ロック解除操作部による操作力を確実にロック部材に伝達することができる。
【発明を実施するための最良の形態】
【００１３】
本発明に係る画像形成装置の好適な実施形態を図面を用いて説明する。図１は画像形成装置の一例であるファクシミリ装置１の外観構成を示す図であり、カバー部を閉鎖した状態を示している。図２は、図１に示すファクシミリ装置でカバー部を開放した状態を示す外観図である。図１，図２は、ファクシミリ装置の前面側を示す図であり、図１，２の紙面に垂直な方向を装置の前後方向、図１，２の紙面に沿った上下方向を装置の上下方向、図１，２の紙面に沿った左右方向を装置の左右方向と定義する。
【００１４】
＜ファクシミリ装置の全体構成＞
このファクシミリ装置１は、給紙装置４、プリンタ装置５、スキャナーケーシング６、自動原稿搬送装置（以下、ＡＤＦと省略）７を備えている。更に、スキャナーケーシング６の前側に配置される操作パネル８が備えられている。以下、ファクシミリ装置１に設けられる各装置の構成を概略的に説明する。
【００１５】
プリンタ装置５は、イメージデータを記録紙上に記録するための装置である。このプリンタ装置５内には、ファクシミリ通信回路部、電話通信回路部が内蔵されている。給紙装置４は、プリンタ装置５に記録紙を供給するための装置である。
【００１６】
スキャナーケーシング６内には、スキャナー装置が内蔵されている。スキャナー装置は、原稿画像を読み取って、その原稿画像の電子的なイメージデータを作成する装置である。ＡＤＦ７は、原稿を搬送して、スキャナーケーシング６内のスキャナー装置が有する読み取り部を原稿の各部が通過するようにさせる装置である。
【００１７】
操作パネル８には、ファクシミリ装置１が備える各機能を作動させるためのユーザーの操作入力手段（キー等で構成）や、ファクシミリ装置１の作動状況を表示するための画像出力手段（表示ディスプレイ）が備えられている。
【００１８】
ここに図示するファクシミリ装置１は、構造的に、給紙装置４、プリンタ装置５などを有する基部２と、スキャナーケーシング６、ＡＤＦ７、操作パネル８などを有するカバー部３とに分けることができる。カバー部３は、基部２に対して回転軸２ａ周りに回転可能に支持されている。図２に示すように、カバー部３を回転軸２ａ回りに回転させると、カバー部３が傾斜した状態になり、基部２の上方が開放されてプリンタ装置５等の内部が露出する。このとき、プリンタ装置５における記録紙のジャム処理やプリンタ装置５内に配置されるトナーカートリッジの交換、ドラムカートリッジの交換などのメンテナンスを行なうことができる。
【００１９】
カバー部３の回転中心である回転軸２ａは、基部２の左側の上部よりに配置されており、前後方向に伸びた軸となっている。カバー部３の右端部が上下方向に移動するように、カバー部３が基部２に対して開放するように構成される。以下の説明において、図１に示すようにカバー部３を基部２に対して閉じた位置をカバー部３の閉鎖位置とする。逆にカバー部３を基部２に対して傾斜させて、基部２の上部が開放した位置をカバー部３の開放位置とする。図２に示す状態は、カバー部３が最大限開放された時の開放位置を示している。
【００２０】
カバー部３は、閉鎖位置にあるときは、基部２に対してロックするためにロック機構１０が設けられている。図示するように、カバー部３の右側下端部にロック機構１０が配置されている。
【００２１】
＜ロック機構の構成＞
次に、ロック機構１０の構成について説明する。図３は、カバー部３を開放した状態を示す斜視図である。ロック機構１０は、カバー部３側に配置されるカバー側機構部１０Ａと、基部２側に配置される基部側機構部１０Ｂとで構成されている。カバー側機構部１０Ａには、前後方向に一対の第１ロック部材１１（前側）と第２ロック部材１２（後側）が設けられている。第１ロック部材１１のほうが装置の前側に位置しており、これらロック部材１１，１２は、連結軸１３により連結され、一体的に動作することが可能である。連結軸１３の軸方向は、ファクシミリ装置１の前後方向を向いている。連結軸１３は金属製の軸であるが、第１・第２ロック部材１１，１２は、樹脂成形により製作される。
【００２２】
基部側機構部１０Ｂには、第１ロック部材１１と係合可能な第１ロックピン２１と、第２ロック部材１２と係合可能な第２ロックピン２２とが設けられている。第１ロックピン２１と第２ロックピン２２は、別部品で一体結合されておらず、装置フレーム部材に対して別個に結合される。これらロックピン２１，２２の軸方向も、装置の前後方向を向いている。第１・第２ロックピン２１，２２は、金属製の軸である。
【００２３】
図４は、第１ロック部材１１の形状を示す拡大斜視図である。第１ロック部材１１は、ロック爪１１ａと第１ロックピン２１が入り込む係合凹部１１ｂを備えている。第１ロック部材１１の先端部には、第１ロックピン２１が入り込みやすいように傾斜面１１ｃが形成される。第１ロック部材１１の先端位置１１ｄと係合凹部１１ｂの最深部１１ｅとの距離ｄ１が爪深さに相当する。
【００２４】
ロック爪１１ａと一体的にロック解除操作部１１ｆが形成されている。このロック解除操作部１１ｆに形成された操作凹部１１ｇに指を挿入することで、ロック解除操作を行なうことができる。ロック解除操作部１１ｆと一体的にバネ掛け部１１ｈが形成されており、コイルスプリング１４（付勢部材に相当）が本体との間に掛けられている。これにより、第１ロック部材１１はロック方向に付勢される。
【００２５】
図５は、第２ロック部材１２の形状を示す拡大斜視図である。第２ロック部材１２も第１ロック部材１１と同様に、ロック爪１２ａ、係合凹部１２ｂ、傾斜面１２ｃ、先端位置１２ｄ、最深部１２ｅを備えている。第２ロック部材１２は連結軸１３を介して第１ロック部材１１と連結されており、コイルスプリング１４によりロック方向に付勢される。
【００２６】
第１ロック部材１１のロック爪１１ａの爪深さｄ１は、先端位置１１ｄと最深部１１ｅとの距離で定義される。第２ロック部材１２の爪深さｄ２も同様である。ここで爪深さの設定はｄ１＜ｄ２である。すなわち、コイルスプリング１４の負勢力が直接掛かるほうの第１ロック部材１１の爪深さｄ１をもう一方の第２ロック部材の爪深さｄ２よりも浅くなるようにする。
【００２７】
図６は、カバー部３を開放位置から閉鎖位置へ移動させるときのロック部材１１，１２とロックピン２１，２２の相対的位置関係を示している。図６（ａ）は、カバー部３を下げていき、各ロック部材１１，１２の傾斜面１１ｃ，１２ｃがロックピン２１，２２に当接した状態を示している。傾斜面１１ｃ，１２ｃの作用により、各ロック部材１１，１２は、連結軸１３回りに回転する。
【００２８】
図６（ｂ）は、カバー部３を閉鎖位置にしてロックを完了した状態を示す。各ロックピン２１，２２は、各ロック部材１１，１２の係合凹部１１ｂ，１２ｂに入り込むことでロック状態となる。この時、ｄ１＜ｄ２の関係に設定されているため、第１ロックピン２１は、第１ロック部材１１の最深部１１ｅに必ず当接する。また、第２ロック部材１２の方は、第２ロックピン２２と最深部１２ｅとの間に隙間δが形成される。従って、第１ロック部材１１の側は、常に爪深さｄ１のロック掛かり代が保証される。隙間δの大きさは、称呼で１ｍｍ程度にすることが好ましいが、これに限定されるものではない。
【００２９】
以上のような構成によれば、各部品の寸法ばらつきや組み立て誤差の影響を受けず、確実に第１ロック部材１１側のロック掛かり代を保証することができる。従って、不用意にカバー部３が開いてしまうなどの不具合を防止することができる。
【００３０】
＜その他の実施形態＞
本発明に係る画像形成装置のファクシミリ装置については、本実施形態の構造に限定されるものではない。本実施形態では、固定された回転軸２ａの周りにカバー部３が回転する構造であるが、回転軸２ａが固定されない構造の場合にも本発明は含まれる。例えば、リンク機構を介してカバー部３を開放状態にする構造の場合にも本発明は適用可能である。
【００３１】
本実施形態のファクシミリ装置１は、原稿読み取り方式がＡＤＦ７により読み取るシート・フィード・タイプのみを有する構造であるが、読取センサーが副走査方向に移動することで原稿画像を読み取るフラット・ベッド・タイプの構造を備えた構造であってもよい。この場合、スキャナーケーシング６の上面に原稿の載置台となるコンタクトガラスが設けられると共に、載置台表面を開閉するプラテンカバー（原稿押え板）が開閉自在に設けられることになる。
【００３２】
本実施形態では、前側の第１ロック部材１１の方にコイルスプリング１４を掛けているが、後側の第２ロック部材の方にスプリングを掛けてもよい。本実施形態では基部側にロックピンを配置し、カバー部側にロック部材を配置しているが、これを逆にして、基部側にロック部材を配置し、カバー部側にロックピンを配置してもよい。
【図面の簡単な説明】
【００３３】
【図１】ファクシミリ装置の外観構成を示す図（カバー部を閉鎖した状態）
【図２】ファクシミリ装置の外観構成を示す図（カバー部を開放した状態）
【図３】カバー部を開放した状態を示す斜視図
【図４】第１ロック部材の形状を示す拡大斜視図
【図５】第２ロック部材の形状を示す拡大斜視図
【図６】ロック機構の動作を説明する図
【符号の説明】
【００３４】
１        ファクシミリ装置
２        基部
２ａ      回転軸
３        カバー部
１０      ロック機構
１０Ａ    カバー側機構部
１０Ｂ    基部側機構部
１１      第１ロック部材
１１ａ    ロック爪
１１ｅ    最深部
１２      第２ロック部材
１２ａ    ロック爪
１２ｅ    最深部
１３      連結軸
１４      コイルスプリング
【図１】
2008032813.tif 000003
【図２】
2008032813.tif 000004
【図３】
2008032813.tif 000005
【図４】
2008032813.tif 000006
【図５】
2008032813.tif 000007
【図６】
2008032813.tif 000008